(57)【要約】【課題】建具に高い防火性を確保すること。【解決手段】面材２５に形成した内窓用の開口２００に開口枠３１０を配設するとともに、開口枠３１０に対して戸先框３２４が開くように戸尻框３２３を介して障子３２０を開閉可能に配設し、かつ障子３２０の戸先部分と開口枠３１０との間に互いに係合した場合に開口枠３１０に対して障子３２０を閉じた状態に維持するラッチ３４１及びラッチ受け３６０を設けたドア２０であって、ラッチ受け３６０は、開口枠３１０へ取り付けるための取付部３６１と、ラッチ３４１に係合する係合部３６２とを有したものであり、障子３２０の戸先面に加熱膨張材４００を配設し、加熱膨張材４００が膨張した場合にラッチ受け３６０の係合部３６２から取付部３６１に至るまでの間を熱遮断した。【選択図】図１
2014077276.tif 000002
【特許請求の範囲】
【請求項１】
開口枠に対して障子を開閉可能に配設し、かつ前記障子の戸先部分と前記開口枠との間に互いに係合した場合に前記開口枠に対して前記障子を閉じた状態に維持するラッチ及びラッチ受けを設けた建具であって、
前記ラッチ受けは、前記開口枠へ取り付けるための取付部と、前記ラッチに係合する係合部とを有したものであり、
前記障子の戸先面に加熱膨張材を配設し、この加熱膨張材が膨張した場合に前記ラッチ受けの係合部から取付部に至るまでの間を熱遮断することを特徴とする建具。
【請求項２】
前記開口枠よりも融点の高い材質によって成形した支持補強部材を前記開口枠に配設し、前記ラッチ受けの取付部を前記支持補強部材に支持させたことを特徴とする請求項１に記載の建具。
【請求項３】
前記障子の戸先面に設けた加熱膨張材を挟んで前記係合部と前記取付部とが互いに反対側に位置するように前記ラッチ受けを配設したことを特徴とする請求項１に記載の建具。
【請求項４】
前記障子の戸先面に設けた加熱膨張材に対向するように前記ラッチ受けの取付部を配設したことを特徴とする請求項１に記載の建具。
【請求項５】
請求項１〜請求項４のいずれか一つに記載の建具を、面材に形成した開口に内窓として配設したことを特徴とするドア。
【発明の詳細な説明】
【技術分野】
【０００１】
本発明は、建具及びドアに関するもので、特に、障子が開口枠に開閉可能に支持された建具及び建具を内窓として備えたドアに関するものである。
【背景技術】
【０００２】
住宅の玄関ドアや開き窓として適用される建具では、開口枠の戸尻枠と障子の戸尻框との間にヒンジが設けてあり、戸先框が開口枠の面外方向に突出する状態で障子が開閉可能に支持されている。障子の戸先框には、ラッチが配設されているとともに、開口枠の戸先枠には、ラッチ受けが配設されており、ラッチをラッチ受けに係合させることで、開口枠に対して障子を閉じた状態に維持することが可能となる（例えば、特許文献１参照）。
【先行技術文献】
【特許文献】
【０００３】
【特許文献１】実開昭５０−１３７１２８号公報
【発明の概要】
【発明が解決しようとする課題】
【０００４】
ところで、近年の建具には、高い防火性が求められている。すなわち、建具が火災時の火炎に曝される等して高温状態となった場合にも、貫通口が生じないように構成し、火炎や煙が室内外に吹き抜ける事態を防止できることが望まれている。
【０００５】
通常の建具では、開口枠がアルミニウムやアルミニウム合金、あるいは合成樹脂によって成形されているため、開口枠が高温状態となった場合に溶融する恐れがある。開口枠が溶融してしまうと、ラッチ受け自身をステンレス等の比較的融点の高い材質で成形したとしても、その位置を維持することが困難となる。この結果、障子に設けたラッチとの係合状態が解除され、障子が開くことによって貫通口を生じる恐れがある。尚、上述の問題は、開口枠の戸尻枠と障子の戸尻框との間にヒンジが設けられた建具に限らず、開口枠と障子の戸先框との間にラッチ及びラッチ受けが設けられるものに共通した問題である。
【０００６】
本発明は、上記実情に鑑みて、高い防火性を確保することのできる建具及びドアを提供することを目的とする。
【課題を解決するための手段】
【０００７】
上記の目的を達成するため、本発明に係る建具は、開口枠に対して障子を開閉可能に配設し、かつ前記障子の戸先部分と前記開口枠との間に互いに係合した場合に前記開口枠に対して前記障子を閉じた状態に維持するラッチ及びラッチ受けを設けた建具であって、前記ラッチ受けは、前記開口枠へ取り付けるための取付部と、前記ラッチに係合する係合部とを有したものであり、前記障子の戸先面に加熱膨張材を配設し、この加熱膨張材が膨張した場合に前記ラッチ受けの係合部から取付部に至るまでの間を熱遮断することを特徴とする。
【０００８】
この発明によれば、障子の開く側が高温状態となった場合、加熱膨張材が膨張することによってラッチ受けの取付部に火炎の影響が及ぶことがなく、開口枠が溶融したとしてもラッチ受けの係合部とラッチとの係合状態を継続することができる。
【０００９】
また、本発明は、上述した建具において、前記開口枠よりも融点の高い材質によって成形した支持補強部材を前記開口枠に配設し、前記ラッチ受けの取付部を前記支持補強部材に支持させたことを特徴とする。
【００１０】
この発明によれば、火炎に曝された場合にも支持補強部材が溶融することがないため、ラッチ受けの脱落をより確実に防止することができる。
【００１１】
また、本発明は、上述した建具において、前記障子の戸先面に設けた加熱膨張材を挟んで前記係合部と前記取付部とが互いに反対側に位置するように前記ラッチ受けを配設したことを特徴とする。
【００１２】
この発明によれば、建具が高温状態となった場合、ラッチ受けの係合部と取付部との間に膨張した加熱膨張材によって隔壁が構成されることになり、取付部への火炎の影響が防止される。
【００１３】
また、本発明は、上述した建具において、前記障子の戸先面に設けた加熱膨張材に対向するように前記ラッチ受けの取付部を配設したことを特徴とする。
【００１４】
この発明によれば、建具が高温状態となった場合、ラッチ受けの取付部が膨張した加熱膨張材によって覆われることになり、取付部への火炎の影響が防止される。
【００１５】
また、本発明に係るドアは、上述したいずれか一つに記載の建具を、面材に形成した開口に内窓として配設したことを特徴とする。
【００１６】
この発明によれば、障子の開く側が高温状態となった場合、加熱膨張材が膨張するためラッチ受けの取付部に火炎の影響が及ぶことがなく、内窓の開口枠が溶融したとしてもラッチ受けの係合部とラッチとの係合状態を継続することができる。
【発明の効果】
【００１７】
本発明によれば、障子の開く側が高温状態となった場合、加熱膨張材が膨張するためラッチ受けの取付部に火炎の影響が及ぶことがなく、開口枠が溶融したとしてもラッチ受けの係合部とラッチとの係合状態が継続される。このため、障子が開いて貫通口が生じる事態を招来する恐れがなくなり、高い防火性を確保することが可能となる。
【図面の簡単な説明】
【００１８】
【図１】図１は、本発明の実施の形態１である建具を内窓として適用したドアの横断面図である。
【図２】図２は、図１に示したドアの要部縦断面図である。
【図３】図３は、図１に示したドアの斜視図である。
【図４】図４は、図１に示したドアの要部拡大斜視図である。
【図５】図５は、本発明の実施の形態２である建具を内窓として適用したドアの要部拡大横断面図である。
【発明を実施するための形態】
【００１９】
以下、添付図面を参照しながら本発明に係る建具及びドアの好適な実施の形態について詳細に説明する。
【００２０】
図１〜図３は、本発明の実施の形態１である建具を内窓として適用したドアを示したものである。ここで例示するドア２０は、ドア枠１０を介して玄関等の出入口に設けられ、ドア枠１０に対して開閉することにより、室内側と室外側とを仕切るものである。ドア枠１０は、図には明示していないが、上枠、下枠、左右一対の縦枠１１，１２を四周枠組みすることによって形成したもので、家屋の外壁に形成した出入口用の開口に沿って取り付けてある。ドア枠１０を形成する個々の枠は、アルミニウムやアルミニウム合金の押し出し型材によって全長が一様な横断面形状を有するように成形したものである。
【００２１】
ドア２０は、上框２１、下框２２、左右一対の縦框２３，２４を四周框組みすることによって形成した框の両面にそれぞれ鋼製の薄板から成る面材２５，２５を貼り付けることによって構成したものである。２枚の面材２５，２５の間には、適宜断熱材や遮音材を介在させるようにしても良い。このドア２０は、一方の縦框２３とドア枠１０の一方の縦枠１１との間を主ヒンジ１３によって支持させることにより、上下方向に沿った主ヒンジ１３の軸を中心として室外側に開くことが可能である。図には明示していないが、このドア２０には、閉じた状態を維持するための主ラッチが設けてある。主ラッチは、ハンドルＨの操作によってもう一方の縦框２４の見込み面から出没し、突出した場合にドア枠１０のもう一方の縦枠１２に設けた主ラッチ受けに係合するものである。
【００２２】
ドア２０には、内窓用の開口（以下、「内窓開口２００」という）が２枚の面材２５，２５を貫通するように設けてあり、この内窓開口２００に内開きの内窓３００が構成してある。内窓開口２００は、２枚の面材２５，２５をそれぞれ矩形状に切り欠くことによって貫設したものである。内窓開口２００の開口縁部は、２枚の面材２５，２５の間に設けた四周の内方框２０１によって閉塞した状態にある。
【００２３】
内窓３００は、開口枠３１０の内部に障子３２０を配設することによって構成したものである。開口枠３１０は、内上枠３１１、内下枠３１２、左右一対の内縦枠３１３，３１４を四周枠組みすることによって形成したもので、内窓開口２００に設けた内方框２０１に沿って取り付けてある。開口枠３１０を形成する個々の枠３１１，３１２，３１３，３１４は、アルミニウムやアルミニウム合金の押し出し型材によって全長が一様な横断面形状を有するように成形したものである。
【００２４】
図１及び図２に示すように、開口枠３１０を構成するそれぞれの枠３１１，３１２，３１３，３１４には、外周側に取付用ヒレ部３１１ａ，３１２ａ，３１３ａ，３１４ａが設けてあるとともに、室外側に位置する見込み面に気密用ヒレ部３１１ｂ，３１２ｂ，３１３ｂ，３１４ｂが設けてある。
【００２５】
取付用ヒレ部３１１ａ，３１２ａ，３１３ａ，３１４ａは、室外側に位置する面材２５の外表面に重ね合わせた場合に、各枠３１１，３１２，３１３，３１４の室内側に位置する端部が室内側に位置する面材２５の外表面と一致するように形成した薄板状部分である。気密用ヒレ部３１１ｂ，３１２ｂ，３１３ｂ，３１４ｂは、それぞれの枠３１１，３１２，３１３，３１４から互いに近接する方向に向けて突出した薄板状部分であり、個々の突出端部において室内側に位置する部位にタイト材３１５を保持している。
【００２６】
この開口枠３１０は、個々の取付用ヒレ部３１１ａ，３１２ａ，３１３ａ，３１４ａを室外側に位置する面材２５の外表面に重ね合わせた状態で取付用ヒレ部３１１ａ，３１２ａ，３１３ａ，３１４ａに取付ネジ３１６を締結することにより、さらに内上枠３１１及び内下枠３１２については見込み面からも取付ネジ３１７を締結することにより、内方框２０１を介してドア２０に支持させてある。
【００２７】
開口枠３１０には、室内側に位置する端部にアタッチメントカバー３３１，３３２，３３３，３３４が付設してある。アタッチメントカバー３３１，３３２，３３３，３３４は、開口枠３１０を構成する各枠３１１，３１２，３１３，３１４の室内側端部に対応する部位にそれぞれ一対の弾性係止ヒレ部３３１ａ，３３２ａ，３３３ａ，３３４ａを有するとともに、室内側に位置する面材２５の外表面を覆うカバー部３３１ｂ，３３２ｂ，３３３ｂ，３３４ｂを有したものである。このアタッチメントカバー３３１，３３２，３３３，３３４は、カバー部３３１ｂ，３３２ｂ，３３３ｂ，３３４ｂを室内側に位置する面材２５の外表面に重ね合わせた状態でそれぞれの弾性係止ヒレ部３３１ａ，３３２ａ，３３３ａ，３３４ａを枠３１１，３１２，３１３，３１４に係止させることにより、枠３１１，３１２，３１３，３１４を介してドア２０に着脱可能に支持させてある。アタッチメントカバー３３１，３３２，３３３，３３４は、開口枠３１０と同様、アルミニウムやアルミニウム合金の押し出し型材によって成形してある。
【００２８】
障子３２０は、内上框３２１、内下框３２２、左右一対の内縦框３２３，３２４を四周框組みすることによって形成した框の内部にガラス板等の内面材３２５を保持させたものである。障子３２０の外形寸法は、開口枠３１０の内部に配置可能、かつ開口枠３１０の気密用ヒレ部３１１ｂ，３１２ｂ，３１３ｂ，３１４ｂに配設した四周のタイト材３１５に対して同時に当接できる大きさに構成してある。障子３２０の見込み方向に沿った寸法は、開口枠３１０のほぼ半分に構成してある。障子３２０を室外側に位置する見付け面をタイト材３１５に押圧させた場合には、障子３２０の室内側に位置する見付け面とアタッチメントカバー３３１，３３２，３３３，３３４の見込み面とによって囲まれる部分に後述するラッチハンドル３４０の操作空間が確保される。この障子３２０は、一方の内縦框（以下、区別する場合に「戸尻框３２３」という）と開口枠３１０の一方の内縦枠（以下、区別する場合に「戸尻枠３１３」という）との間をヒンジ３２６によって支持させることにより、上下方向に沿ったヒンジ３２６の軸を中心として室内側に開くことが可能である。障子３２０のもう一方の内縦框（以下、区別する場合に「戸先框３２４」という）には、室内側の見付け面にラッチハンドル３４０が設けてある。
【００２９】
ラッチハンドル３４０は、戸先框３２４において上下方向のほぼ中央となる位置に、見込み方向に沿ったラッチ軸を中心に回転可能となるように配設したものである。このラッチハンドル３４０には、ラッチ３４１が設けてある。ラッチ３４１は、ラッチ軸においてアタッチメントカバー３３４に対向する部分の周面から径方向に沿って突出した部分であり、ラッチハンドル３４０の操作によって施錠位置と解錠位置との間を移動することが可能である。このラッチ３４１は、ラッチハンドル３４０がラッチ軸から鉛直下方に垂下するように配置された場合に施錠位置となり、戸先框３２４の戸先面から突出した状態となる。障子３２０が開口枠３１０に対して閉じた状態にある場合、ラッチ３４１を施錠位置に配置させると、その先端部が戸先框３２４に近接する内縦枠（以下、区別する場合に「戸先枠３１４」という）のアタッチメントカバー３３４に形成した挿入孔３３４ｃの内部に配置される。
【００３０】
一方、ラッチ３４１が施錠位置となった状態からラッチハンドル３４０を戸尻框３２３に近接する方向にほぼ水平となる位置まで回転させるとラッチ３４１は解錠位置となり、ラッチ３４１及びラッチハンドル３４０の双方がドア２０の面内に配置されることになる。アタッチメントカバー３３４の挿入孔３３４ｃは、図には明示していないが、上下方向に沿って形成した溝状の開口であり、戸先枠３１４のアタッチメントカバー３３４において上下方向のほぼ中央となる位置に形成してある。
【００３１】
開口枠３１０の戸先枠３１４には、支持補強部材３５０及びラッチ受け３６０が配設してある。支持補強部材３５０及びラッチ受け３６０は、それぞれ開口枠３１０を構成するアルミニウムやアルミニウム合金よりも融点の高いステンレス等の材質を適用して成形してある。
【００３２】
支持補強部材３５０は、戸先枠３１４に支持ヒレ部３５１を構成するためのもので、固定ネジ３５２を締結することにより戸先枠３１４の内部に固定してある。支持ヒレ部３５１は、戸先枠３１４において気密用ヒレ部３１４ｂよりも室内側、かつ戸先枠３１４の見込み面と気密ヒレ部のタイト材３１５との間に位置する部分に、気密用ヒレ部３１４ｂとほぼ平行となるように形成したものである。図には明示していないが、支持補強部材３５０は、上下方向に沿った寸法がアタッチメントカバー３３４に形成した挿入孔３３４ｃよりも大きく構成してあり、戸先枠３１４において上下方向のほぼ中央となる位置に配設してある。
【００３３】
ラッチ受け３６０は、図１及び図４に示すように、取付部３６１及び係合部３６２を一体に成形したもので、取付部３６１を介して支持補強部材３５０の支持ヒレ部３５１に取付ネジ３１８を締結することにより、係合部３６２が戸先枠３１４の見込み面及びアタッチメントカバー３３４の見込み面を覆う状態で戸先枠３１４の上下方向のほぼ中央となる位置に取り付けてある。ラッチ受け３６０の係合部３６２は、上下方向に沿った寸法がアタッチメントカバー３３４の挿入孔３３４ｃよりも大きくなるように構成したもので、挿入孔３３４ｃに対応する部位に係合孔３６２ａを有している。係合孔３６２ａは、挿入孔３３４ｃと同等の大きさに形成した開口であり、挿入孔３３４ｃに合致した位置に設けてある。このラッチ受け３６０の係合孔３６２ａは、開口枠３１０に対して障子３２０を閉じた状態でラッチ３４１を施錠位置に配置させた場合にラッチ３４１を貫通した状態で収容することが可能である。
【００３４】
さらに、障子３２０には、図１に示すように、戸先框３２４の戸先面に加熱膨張材４００が配設してあるとともに、戸先框３２４の内部に耐火補強部材４１０が配設してあり、開口枠３１０の内縦枠３１３，３１４には、補助加熱膨張材４２０が配設してある。加熱膨張材４００は、例えば膨張黒鉛のように、加熱された場合に膨張する耐火性の部材である。この加熱膨張材４００は、シート状に成形したものが戸先框３２４の戸先面においてラッチ受け３６０の取付部３６１と係合部３６２との間を横切るように、室内側に位置する部分の全長に取り付けてある。耐火補強部材４１０は、支持補強部材３５０と同様、開口枠３１０を構成するアルミニウムやアルミニウム合金よりも融点の高いステンレス等の材質を適用して成形したもので、戸先框３２４の全長に渡って配設してある。補助加熱膨張材４２０は、加熱膨張材４００と同等のものであり、アタッチメントカバー３３３，３３４において内縦枠３１３，３１４の見込み面に対向する部位、アタッチメントカバー３３３，３３４において内縦枠３１３，３１４の室内側に位置する端面と面材２５との間を覆う位置、内縦枠３１３，３１４の見込み面において面材２５，２５の内方框２０１に対向する部位にそれぞれ取り付けてある。尚、本実施の形態１で例示するドア２０には、内窓３００の室外側となる部分に網戸ユニット５００が取り付けてある。
【００３５】
上記のように構成した内窓３００を備えるドア２０では、開口枠３１０に対して障子３２０を閉じた状態に配置し、この状態からラッチハンドル３４０を操作してラッチ３４１を施錠位置に配置させると、ラッチ３４１がラッチ受け３６０の係合孔３６２ａ及びアタッチメントカバー３３４の挿入孔３３４ｃに貫通した位置に配置される。従って、開口枠３１０に対して障子３２０を開けようとした場合にはラッチ３４１がラッチ受け３６０に係合して障子３２０の移動が阻止されることになり、障子３２０を閉じた状態に維持することができる。
【００３６】
これに対してラッチ３４１を解錠位置に配置させれば、ラッチ３４１がラッチ受け３６０の係合孔３６２ａから逸脱され、ラッチ３４１及びラッチハンドル３４０がいずれもドア２０の面内に配置されるため、ヒンジ３２６を介して障子３２０を室内側に向けて移動させ、開口枠３１０を開放することができる。これにより、上述の内窓３００によれば、ドア２０をドア枠１０に施錠した状態であっても、ドア２０に対して障子３２０を開くことで室内外の通気が可能となる。
【００３７】
しかも、上述のドア２０によれば、火災等の発生によって室内側が火炎に曝された場合であっても障子３２０を閉じていれば内窓３００が貫通口となる恐れがない。すなわち、上述の内窓３００では、ラッチ３４１が係合されるラッチ受け３６０の取付部３６１が加熱膨張材４００よりも室外側となる位置において支持補強部材３５０を介して戸先枠３１４に支持させてある。従って、室内側が火炎に曝されるなどして高温状態となり、加熱膨張材４００が膨張すると、この膨張した加熱膨張材４００によって戸先框３２４と戸先枠３１４との間が塞がれるため、ラッチ受け３６０の取付部３６１が火炎から熱遮断された状態となり、その影響を無くすことができる。これにより、仮に加熱膨張材４００よりも室内側の開口枠３１０が溶融したとしても、融点の高いラッチ受け３６０が燃え残るためラッチ３４１との係合状態が継続されることになり、内窓３００が開いて貫通口となることはない。
【００３８】
さらに、ラッチ受け３６０の支持対象となる支持補強部材３５０を融点の高い材質によって成形しているため、ラッチ受け３６０とラッチ３４１との係合状態をより確実に継続させることが可能となる。加えて、上述のドア２０では、補助加熱膨張材４２０を配設するようにしているため、室内側の火炎が開口枠３１０と内方框２０１との隙間から室外側に吹き抜ける事態を防止することができ、ラッチ受け３６０の取付部３６１に対する火炎の影響を可及的に無くすことが可能となる。
【００３９】
尚、上述した実施の形態１では、ラッチ受け３６０の取付部３６１と係合部３６２との間に加熱膨張材４００を配設し、膨張した加熱膨張材４００を隔壁として機能させることにより、取付部３６１を設けた端部と係合部３６２を設けた端部とを互いに熱遮断するようにしているが、本発明は必ずしもこれに限定されない。
【００４０】
例えば、図５に示す本発明の実施の形態２のドア２０′では、ラッチ受け４６０の取付部４６１に対向する位置に加熱膨張材４００を配設し、膨張した加熱膨張材４００によってラッチ受け４６０の取付部４６１を覆うことにより、取付部４６１を設けた端部を係合部４６２を設けた端部から熱遮断するようにしている。より具体的には、ラッチ受け４６０として平板状を成し、一方の端部が取付部４６１となり、他方の端部が係合部４６２となるものを適用している。ラッチ受け４６０の係合部４６２に係合孔４６２ａが設けてあるのは実施の形態１と同様である。このラッチ受け４６０は、戸先枠３１４の見込み面に取付ネジ３１８を締結することによって取り付けてある。ラッチ受け４６０が取り付けられる戸先枠３１４の内部には、取付ネジ３１８が締結される部位に支持補強部材４５０が配設してある。実施の形態２で示すラッチ受け４６０及び支持補強部材４５０は、開口枠３１０を構成するアルミニウムやアルミニウム合金よりも融点の高いステンレス等の材質を適用して成形してある。尚、実施の形態２において実施の形態１と同様の構成に関しては、同一の符号を付してそれぞれの詳細説明を省略する。また、実施の形態２では、アタッチメントカバー４３３，４３４がラッチ受け４６０の係合孔４６２ａよりも室内側に配設された構成となっており、ラッチ受け４６０の係合孔４６２ａは戸先枠３１４の見込み面に形成した挿入孔３１４ｃと合致した位置に設けてある。
【００４１】
この実施の形態２においては、内窓３００が高温状態となれば、加熱膨張材４００が膨張することでラッチ受け４６０の取付部４６１が膨張した加熱膨張材４００によって覆われるため火炎の影響を無くすことができる。従って、内窓３００の障子３２０が閉じた状態に維持されることになり、防火性を損なうことなく通気性を確保することが可能となる。
【００４２】
尚、上述した実施の形態１及び実施の形態２では、いずれもドアの内窓として適用される建具を例示しているが、家屋に設けられる玄関等の出入口に直接設けられる建具としてももちろん適用することが可能である。また、上述した実施の形態１及び実施の形態２では、開口枠の戸尻枠と障子の戸尻框との間にヒンジが設けてあり、戸先框が開口枠の面外方向に突出する状態で障子が開閉可能に支持された建具を例示しているが、必ずしもこれに限定されない。例えば、開口枠と障子との間にラッチ及びラッチ受けを設けるようにした建具であれば、開口枠に対して障子がスライドするように配設された引き違い窓等の引き戸、あるいは折り戸にも適用することが可能であり、これらの引き戸もしくは折り戸を内窓として適用したドアにも適用することが可能である。
【符号の説明】
【００４３】
２０，２０′      ドア
２５      面材
２００      内窓開口
３００      内窓（建具）
３１０      開口枠
３２０      障子
３２３      戸尻框
３２４      戸先框
３４１      ラッチ
３５０      支持補強部材
３６０      ラッチ受け
３６１      取付部
３６２      係合部
３６２ａ      係合孔
４００      加熱膨張材
４１０      耐火補強部材
４５０      支持補強部材
４６０      ラッチ受け
４６１      取付部
４６２      係合部
４６２ａ      係合孔
【図１】
2014077276.tif 000003
【図２】
2014077276.tif 000004
【図３】
2014077276.tif 000005
【図４】
2014077276.tif 000006
【図５】
2014077276.tif 000007